(57)【要約】【課題】光ディスク再生装置において、簡単な構造によって、装置内部を冷却するための構造と光ディスクの着脱を容易に行えるようにするための構造の両方を実現する。【解決手段】光ディスク再生装置１は、ディスク室２１の内部がディスク室２１の底壁５１によって本体ケース２０の内部と隔てられている。ディスク室２１の底壁５１には、指挿入穴６２が設けられている。指挿入穴６２は、ディスク室２１の内部と本体ケース２０の内部とを連通している。人が光ディスク１０を手に持ってスピンドルモータ７１に着脱する際、指挿入穴６２に指が挿入される。また、スピンドルモータ７１に装着された光ディスク１０が回転すると、指挿入穴６２がディスク室２１の内部と本体ケース２０の内部とを連通していることにより、ディスク室２１の内部で発生する気流（光ディスク１０の回転による気流）につられて、本体ケース２０の内部で気流が発生する。【選択図】図２
2012022755.tif 000002
【特許請求の範囲】
【請求項１】
光ディスクを収納するディスク室の内部が前記ディスク室の底壁によって本体ケースの内部と隔てられており、光ディスクが前記ディスク室の内部において人の手によってスピンドルモータに着脱され、光ディスクを前記スピンドルモータにより回転させて、光ディスクから記録データを読取る光ディスク再生装置において、
前記本体ケースには、該本体ケースの外部から該本体ケースの内部に空気を吸入するための空気吸入口、及び該本体ケースの内部から該本体ケースの外部に空気を排出するための空気排出口が設けられており、
前記ディスク室の底壁には、人が光ディスクを手に持って前記スピンドルモータに着脱する際に利用される、人の指が挿入される指挿入穴が設けられており、
前記指挿入穴は、その少なくとも一部が前記ディスク室の底壁を貫通して、前記ディスク室の内部と前記本体ケースの内部とを連通している、
ことを特徴とする光ディスク再生装置。
【請求項２】
前記空気吸入口から前記空気排出口に至る空気の流通経路上に冷却対象部品が配置されている、
ことを特徴とする請求項１に記載の光ディスク再生装置。
【請求項３】
前記ディスク室には、前記ディスク室の内部から前記本体ケースの内部に空気を排出するための排気孔が設けられている、
ことを特徴とする請求項１に記載の光ディスク再生装置。
【発明の詳細な説明】
【技術分野】
【０００１】
本発明は、光ディスクから記録データを読取る光ディスク再生装置に関するものである。
【背景技術】
【０００２】
従来から、光ディスク再生装置は、ディスク室に収納された光ディスクを回転させて、光ディスクから記録データを読取るようになっている。このような光ディスク再生装置では、装置内部（本体ケースの内部）の温度上昇を抑えるために、装置内部を冷却する必要がある。特に、携帯型の光ディスク再生装置では、小型であり、装置容積が小さいため、ＩＣなどの発熱部品の冷却能力が極端に低く、装置内部を冷却することが重要となる。また、高機能ＩＣは、発熱量が多いため、高機能ＩＣを用いる場合にも、装置内部を冷却することが重要となる。一方、コストの面を考えると、ファンなどの冷却装置を備えないほうが望ましい。特に、携帯型の光ディスク再生装置では、小型であり、スペースが少ないため、コストの面に加え、小型化の面からも、ファンなどの冷却装置を備えないほうが望ましい。そこで、光ディスク再生装置において、光ディスクの回転により発生する気流を利用して、装置内部を冷却するようにしたものが知られている（例えば特許文献１乃至特許文献３参照）。
【０００３】
一方、光ディスク再生装置において、スピンドルモータへの光ディスクの着脱を人の手によって行うタイプのものがある。すなわち、このタイプの光ディスク再生装置は、光ディスクを手に持って、手に持った状態の光ディスクをスピンドルモータに装着し、また、スピンドルモータに装着されている光ディスクを手に持って、光ディスクをスピンドルモータから取外すようになっている。このような光ディスク再生装置では、スピンドルモータに装着された状態での光ディスクとディスク室の底との間隔が狭いと、指がディスク室の底にあたってしまい、光ディスクをスピンドルモータに着脱し難い。特に、光ディスクをスピンドルモータから取外す場合には、指を光ディスクに引っかけ難く、光ディスクをスピンドルモータから取外し難い。そこで、このような光ディスク再生装置において、ディスク室の底に指挿入穴（指が挿入される窪み）を設けて、スピンドルモータへの光ディスクの着脱を容易に行えるようにしたものが知られている（例えば特許文献４参照）。
【先行技術文献】
【特許文献】
【０００４】
【特許文献１】特開平８−３３９６７８号公報
【特許文献２】特開２００５−２５１３１８号公報
【特許文献３】特開平５−２９８８１３号公報
【特許文献４】特許第４１６３６７０号公報
【発明の概要】
【発明が解決しようとする課題】
【０００５】
ところで、装置内部を冷却するための構造を備え、さらに、この構造とは別に、光ディスクの着脱を容易に行えるようにするための構造を備えたのでは、装置の構造が複雑になってしまう。
【０００６】
本発明は、上記課題を解決するためになされたものであり、簡単な構造によって、装置内部を冷却するための構造と光ディスクの着脱を容易に行えるようにするための構造の両方を実現することができる光ディスク再生装置を提供することを目的とする。
【課題を解決するための手段】
【０００７】
上記目的を達成するために請求項１の発明は、光ディスクを収納するディスク室の内部がディスク室の底壁によって本体ケースの内部と隔てられており、光ディスクがディスク室の内部において人の手によってスピンドルモータに着脱され、光ディスクをスピンドルモータにより回転させて、光ディスクから記録データを読取る光ディスク再生装置において、本体ケースには、該本体ケースの外部から該本体ケースの内部に空気を吸入するための空気吸入口、及び該本体ケースの内部から該本体ケースの外部に空気を排出するための空気排出口が設けられており、ディスク室の底壁には、人が光ディスクを手に持ってスピンドルモータに着脱する際に利用される、人の指が挿入される指挿入穴が設けられており、指挿入穴は、その少なくとも一部がディスク室の底壁を貫通して、ディスク室の内部と本体ケースの内部とを連通しているものである。
【０００８】
請求項２の発明は、請求項１に記載の光ディスク再生装置において、空気吸入口から空気排出口に至る空気の流通経路上に冷却対象部品が配置されているものである。
【０００９】
請求項３の発明は、請求項１に記載の光ディスク再生装置において、ディスク室には、ディスク室の内部から本体ケースの内部に空気を排出するための排気孔が設けられているものである。
【発明の効果】
【００１０】
請求項１の発明によれば、スピンドルモータに装着された光ディスクが回転すると、光ディスクの回転によって、ディスク室の内部で気流が発生する。このとき、指挿入穴がディスク室の内部と本体ケースの内部とを連通していることにより、ディスク室の内部で発生する気流（光ディスクの回転による気流）につられて、本体ケースの内部で気流が発生する。これにより、本体ケースの外部から空気吸入口を通って本体ケースの内部に空気が流れ込むと共に、本体ケースの内部から空気排出口を通って本体ケースの外部に空気が排出される。従って、本体ケースの外部と本体ケースの内部との間で空気を流通させて、本体ケースの内部（装置内部）を冷却することができる。また、人が光ディスクを手に持ってスピンドルモータに着脱するとき、指挿入穴に指を挿入することにより、光ディスクの着脱を容易に行える。指挿入穴は、本体ケースの内部を冷却するための構造と光ディスクの着脱を容易に行えるようにするための構造を兼ねている。従って、簡単な構造によって、本体ケースの内部を冷却するための構造と光ディスクの着脱を容易に行えるようにするための構造の両方を実現することができる
【００１１】
請求項２の発明によれば、冷却対象部品（例えばＩＣなどの発熱部品）が効果的に冷却される。また、冷却対象部品の発熱によって熱を持った空気が、効率良く、空気排出口を通って本体ケースの外部に排出される。これにより、冷却対象部品の発熱によって熱を持った空気が、本体ケースの内部に拡散するのを抑えることができ、本体ケースの内部を冷却する効果を高めることができる。
【００１２】
請求項３の発明によれば、本体ケースの外部から空気吸入口を通って本体ケースの内部に流れ込んだ空気の一部が、指挿入穴、ディスク室の内部、排気孔、本体ケースの内部を経由して、空気排出口を通って本体ケースの外部に排出される。これにより、本体ケースの外部と本体ケースの内部との間で流通する空気の流通量を多くする（流通速度を速くする）ことができ、本体ケースの内部を冷却する効果を高めることができる。
【図面の簡単な説明】
【００１３】
【図１】（ａ）は本発明の一実施形態に係る光ディスク再生装置の概略構成を示すディスクカバーを閉じた状態の斜視図、（ｂ）は同ディスクカバーを開いた状態の斜視図。
【図２】（ａ）は同光ディスク再生装置の本体ユニットの斜視図、（ｂ）は同本体ユニットの上ケースを下ケースから分離した状態の斜視図。
【図３】（ａ）は同本体ユニットの正面から見た断面図、（ｂ）は同本体ユニットの側面から見た断面図。
【発明を実施するための形態】
【００１４】
以下、本発明を具体化した実施形態による光ディスク再生装置について図面を参照して説明する。図１（ａ）（ｂ）は、本実施形態による光ディスク再生装置の構成を示す。光ディスク再生装置１は、例えばＤＶＤやＢＤ等の光ディスク１０から記録データを読取る装置である。この光ディスク再生装置１は、携帯型のものである。
【００１５】
光ディスク再生装置１は、本体ユニット２と、表示ユニット３と、ヒンジユニット４とを備えており、表示ユニット３がヒンジユニット４を介して本体ユニット２に取付けられ、表示ユニット３が本体ユニット２に対して回動可能になっている。
【００１６】
本体ユニット２は、ディスク室２１に光ディスク１０が収納されるようになっており、ディスク室２１に収納された光ディスク１０を回転させて、光ディスク１０から記録データを読取る。ディスク室２１は、ディスクカバー２２を開くことにより、光ディスク１０を収納、取出し可能なように開放され、ディスクカバー２２を閉じることにより、閉鎖される。表示ユニット３は、本体ユニット２により光ディスク１０から読取った記録データに基く画像や、メニュー画面等の各種画像を表示する。
【００１７】
ヒンジユニット４は、２軸スイーベルヒンジと呼ばれるヒンジユニットであり、表示ユニット３を本体ユニット２に対して直交２軸に回動可能に連結している。すなわち、表示ユニット３は、本体ユニット２に対して、表示ユニット３の下端部を通って表示ユニット３の下端縁と平行な第１の回動中心軸Ｃ１の軸回りに回動可能になっていると共に、本体ユニット２の後端部の中央を通って本体ユニット２の上面に垂直な第２の回動中心軸Ｃ２の軸回りに回動可能になっている。
【００１８】
光ディスク再生装置１を使用するときには、例えば、表示ユニット３を開いた状態（表示ユニット３を本体ユニット２に対して起立させた状態、又は、表示ユニット３の背面（画像表示面と反対側の面）が本体ユニット２の上面に合わさるように、表示ユニット３を本体ユニット２に対して倒伏させた状態）にされる。また、光ディスク再生装置１を携帯して持ち運ぶときには、例えば、表示ユニット３を閉じた状態（表示ユニット３の正面（画像表示面）が本体ユニット２の上面に合わさるように、表示ユニット３を本体ユニット２に対して倒伏させた状態）にされる。また、光ディスク再生装置１は、不図示の外部装置を接続して使用（光ディスク再生装置１により光ディスクから読取った記録データに基く画像を外部装置のディスプレイに表示）することができるようになっており、外部装置を接続して使用する場合には、例えば、表示ユニット３を閉じた状態にされる。
【００１９】
図２（ａ）（ｂ）、図３（ａ）（ｂ）は、本体ユニット２の構成を示す。本体ユニット２は、本体ケース２０と、光ディスク１０を収納するディスク室２１と、ディスク室２１を開放、閉鎖するためのディスクカバー２２と、光ディスク１０から記録データを読取る光ディスク読取ユニット２３と、光ディスク再生装置１の動作を制御する回路基板２４とを備える。回路基板２４には、光ディスク再生装置１の動作を制御する制御回路等を構成する電子部品２５（例えばＩＣなどの発熱部品）が実装されている。
【００２０】
本体ケース２０は、光ディスク読取ユニット２３、及び回路基板２４を収納している。本体ケース２０は、本体ケース２０の下側部分を占める下ケース３１と、本体ケース２０の上側部分を占める上ケース３２とを有しており、下ケース３１と上ケース３２が相互に結合されている。
【００２１】
本体ケース２０には、本体ケース２０の外部から本体ケース２０の内部に空気を吸入するための空気吸入口４１と、本体ケース２０の内部から本体ケース２０の外部に空気を排出するための空気排出口４２が設けられている。空気吸入口４１は、下ケース３１の前壁３１ａに設けられており、空気排出口４２は、下ケース３１の側壁３１ｂに設けられている。
【００２２】
ディスク室２１は、底壁５１と、外周側壁５２とを有している。ディスク室２１の底壁５１及び外周側壁５２は、本体ケース２０の上ケース３２の一部によって構成されている。ディスク室２１の内部は、底壁５１及び外周側壁５２によって、本体ケース２０の内部と隔てられている。底壁５１は、平坦に形成されており、外周側壁５２は、底壁５１から垂直に立ち上がっている。光ディスク１０は、底壁５１及び外周側壁５２に囲まれた領域に収納される。
【００２３】
ディスク室２１には、光ディスク１０からの記録データの読取りに用いる読取用開口６１と、人が光ディスク１０を取り扱う際に利用する指挿入穴６２と、ディスク室２１の内部から本体ケース２０の内部に空気を排出するための排気孔６３とが設けられている。読取用開口６１は、底壁５１に設けられており、底壁５１を貫通して、ディスク室２１の内部と本体ケース２０の内部とを連通している。指挿入穴６２は、底壁５１に設けられており、人の指を挿入し得るように、底壁５１から窪んでいる。また、指挿入穴６１には、貫通孔６９が設けられている。貫通孔６９は、指挿入穴６２の側面部分に設けられており、指挿入穴６２の側面部分を貫通して、ディスク室２１の内部と本体ケース２０の内部とを連通している。すなわち、指挿入穴６２は、人の指を挿入し得るように、底壁５１から窪んでいると共に、その一部がディスク室２１の底壁５１の側面部分を貫通して、ディスク室２１の内部と本体ケース２０の内部とを連通している。排気孔６３は、外周側壁５２に設けられており、外周側壁５２を貫通して、ディスク室２１の内部と本体ケース２０の内部とを連通している。
【００２４】
ディスクカバー２２は、開閉可能なように、本体ケース２０の上ケース３２に装着されている。ディスクカバー２２を開くことにより、光ディスク１０を収納、取出し可能なようにディスク室２１が開放され、ディスクカバー２２を閉じることにより、ディスク室２１が閉鎖される。
【００２５】
光ディスク読取ユニット２３は、光ディスク１０を回転させるためのスピンドルモータ７１と、光ディスク１０に光を投光すると共に光ディスク１０からの反射光を受光する光ピックアップ７２と、これらスピンドルモータ７１及び光ピックアップ７２を支持する支持体７３とを有する。スピンドルモータ７１は、光ディスク１０の装着されるディスク装着部７１ａが、支持体７３の上面から突出している。光ピックアップ７２は、スピンドルモータ７１に接近、離反する方向に移動するようになっており、支持体７３に設けられた投受光用開口７３ａに臨んでいる。
【００２６】
光ディスク読取ユニット２３は、回路基板２４上に配置されており、スピンドルモータ７１のディスク装着部７１ａが、底壁５１の読取用開口６１からディスク室２１の内部に突出していると共に、光ピックアップ７２及び投受光用開口７３ａが、底壁５１の読取用開口６１に臨んでいる。
【００２７】
光ディスク１０は、記録面をディスク室２１の底壁５１側に向けて、スピンドルモータ７１に（ディスク装着部７１ａに）装着することにより、ディスク室２１に収納される。このようにディスク室２１に光ディスク１０が収納された状態では、ディスク室２１の底壁５１は、光ディスク１０の記録面に対向し、ディスク室２１の外周側壁５２は、光ディスク１０の外周面に対向する。スピンドルモータ７１への光ディスク１０の着脱は、人の手によって行われる。すなわち、光ディスク１０は、ディスク室２１の内部において、人の手によって（人の手に持たれて）スピンドルモータ７１に着脱される。
【００２８】
光ディスク読取ユニット２３は、スピンドルモータ７１により光ディスク１０を回転させて、光ピックアップ７２により光ディスク１０に光を投光すると共に光ディスク１０からの反射光を受光して、光ディスク１０から記録データを読取る。このとき、スピンドルモータ７１は、光ディスク１０を、光ディスク１０の記録面と反対側の面から見て（ディスク装着部７１ａ側から底壁５１側を見て）、時計回りの方向に回転させ、光ピックアップ７２は、支持体７３の投受光用開口７３ａ及び底壁５１の読取用開口６１を通して、光ディスク１０に光を投光すると共に光ディスク１０からの反射光を受光する。光ディスク１０からの記録データの読取りは、ディスクカバー２２を閉じた状態で行われる。
【００２９】
上記指挿入穴６２は、光ディスク１０の着脱を容易に行えるようにするための構造をなしている。指挿入穴６２は、スピンドルモータ７１に装着された光ディスク１０の記録面に対向する位置から、光ディスク１０の外周縁を跨いで、光ディスク１０の周辺に亘って形成されている。すなわち、指挿入穴６２は、その一部がスピンドルモータ７１に装着された光ディスク１０と重なり、別の一部がスピンドルモータ７１に装着された光ディスク１０と重ならない。
【００３０】
光ディスク１０をスピンドルモータ７１に装着するときには、光ディスク１０を手に持った状態でスピンドルモータ７１に装着するために、光ディスク１０を持った人の指が指挿入穴６２に挿入される。また、光ディスク１０をスピンドルモータ７１から取外すときには、スピンドルモータ７１に装着されている光ディスク１０を手に持つために、人の指が指挿入穴６２に挿入される。このように、指挿入穴６２は、人が光ディスク１０を手に持ってスピンドルモータ７１に着脱する際に利用される。
【００３１】
上記空気吸入口４１、空気排出口４２、指挿入穴６２（貫通孔６９）、及び排気孔６３は、本体ケース２０の内部を冷却するための構造をなしている。空気吸入口４１は、スピンドルモータ７１に装着される光ディスク１０の中心と指挿入穴６２の位置（貫通孔６９の位置）とを結ぶ線分よりも、光ディスク１０の回転方向と逆方向側の場所に設けられている。空気排出口４２は、スピンドルモータ７１に装着される光ディスク１０の中心と貫通孔６９の位置とを結ぶ線分よりも、光ディスク１０の回転方向側の場所に設けられている。排気孔６３は、貫通孔６９の位置と空気排出口４２の位置との間の場所（スピンドルモータ７１に装着される光ディスク１０の中心と貫通孔６９の位置とを結ぶ線分よりも、光ディスク１０の回転方向と逆方向側の場所）に設けられている。
【００３２】
スピンドルモータ７１に装着された光ディスク１０が回転（ディスク装着部７１ａの上方から底壁５１側を見て、時計回りの方向に回転）すると、光ディスク１０の回転によって、ディスク室２１の内部で、光ディスク１０の回転方向の気流が発生する。
【００３３】
このとき、指挿入穴６２が（貫通孔６９によって）ディスク室２１の内部と本体ケース２０の内部とを連通していることにより、ディスク室２１の内部で発生する気流（光ディスク１０の回転による気流）につられて、本体ケース２０の内部で、空気吸入口４１から空気排出口４２に向かう方向の気流が発生する。これにより、本体ケース２０の外部から空気吸入口４１を通って本体ケース２０の内部に空気が流れ込むと共に、本体ケース２０の内部から空気排出口４２を通って本体ケース２０の外部に空気が排出され、本体ケース２０の外部と本体ケース２０の内部との間で空気が流通する。電子部品２５は、空気吸入口４１から空気排出口４２に至る空気の流通経路上に配置されている。
【００３４】
また、本体ケース２０の外部から空気吸入口４１を通って本体ケース２０の内部に流れ込んだ空気の一部は、本体ケース２０の内部から指挿入穴６２を通ってディスク室２１の内部に流れ込んだ後、ディスク室２１の内部から排気孔６３を通って本体ケース２０の内部に排出され、本体ケース２０の内部から空気排出口４２を通って本体ケース２０の外部に空気が排出される。これにより、本体ケース２０の外部と本体ケース２０の内部との間で流通する空気の流通量が多く（流通速度が速く）なる。
【００３５】
このような構成の光ディスク再生装置１によれば、ディスク室２１の底壁５１に指挿入穴６２が設けられているため、人が光ディスク１０を手に持ってスピンドルモータ７１に着脱するとき、指挿入穴６２に指を挿入することにより、光ディスク１０の着脱を容易に行える。また、指挿入穴６２が（貫通孔６９によって）ディスク室２１の内部と本体ケース２０の内部とを連通しているため、光ディスク１０により発生する気流を利用して、本体ケース２０の外部と本体ケース２０の内部との間で空気を流通させて、本体ケース２０の内部を冷却することができる。指挿入穴６２は、本体ケース２０の内部を冷却するための構造と光ディスク１０の着脱を容易に行えるようにするための構造を兼ねている。従って、簡単な構造によって、本体ケース２０の内部を冷却するための構造と光ディスク１０の着脱を容易に行えるようにするための構造の両方を実現することができる。
【００３６】
また、空気吸入口４１から空気排出口４２に至る空気の流通経路上に電子部品２５が配置されているため、電子部品２５を冷却対象部品として効果的に冷却することができる。また、電子部品２５の発熱によって熱を持った空気が、効率良く、空気排出口４２を通って本体ケース２０の外部に排出される。これにより、電子部品２５の発熱によって熱を持った空気が、本体ケース２０の内部に拡散するのを抑えることができ、本体ケース２０の内部を冷却する効果を高めることができる。
【００３７】
また、ディスク室２１に排気孔６３が設けられているため、本体ケース２０の外部と本体ケース２０の内部との間で流通する空気の流通量を多くする（流通速度を速くする）ことができ、本体ケース２０の内部を冷却する効果を高めることができる。
【００３８】
なお、本発明は、上記実施形態の構成に限られず、種々の変形が可能である。例えば、指挿入穴の貫通孔は、指挿入穴の側面部分に限られず、指挿入穴の底面部分に設けられていてもよい。また、指挿入穴は、その全体がディスク室の底壁を貫通して、ディスク室の内部と本体ケースの内部とを連通していてもよい。また、空気吸入口は、本体ケースの前壁に限られず、本体ケースの側壁や底壁に設けられていてもよい。また、空気排出口は、本体ケースの側壁に限られず、本体ケースの前壁や底壁に設けられていてもよい。
【符号の説明】
【００３９】
１    光ディスク再生装置
２    本体ユニット
３    表示ユニット
４    ヒンジユニット
１０    光ディスク
２０    本体ケース
２１    ディスク室
２２    ディスクカバー
２３    光ディスク読取ユニット
２４    回路基板
２５    電子部品（冷却対象部品）
３１    下ケース
３１ａ    下ケースの前壁
３１ｂ    下ケースの側壁
３２    上ケース
４１    空気吸入口
４２    空気排出口
５１    ディスク室の底壁
５２    ディスク室の外周側壁
６１    読取用開口
６２    指挿入穴
６３    排気孔
６９    貫通孔
７１    スピンドルモータ
７１ａ    ディスク装着部
７２    光ピックアップ
７３    支持体
７３ａ    投受光用開口
【図１】
2012022755.tif 000003
【図２】
2012022755.tif 000004
【図３】
2012022755.tif 000005